(57)【要約】【課題】使用者が長期留守状態にあると判定した場合に予約機能を停止して消費電力を抑えることが可能なテレビジョン受像機を提供することを目的とする。【解決手段】予約機能部２０が動作しているテレビジョン受像機１のＣＰＵ２１は、予約時刻になると給電部１３をオンにし、オンした時点からの経過時間が予め設定された所定時間に達するまでの間に操作を受付けたことを検出しなかった場合にカウンタ２６を加算する。ＣＰＵ２１は操作部２８又は遠隔操作部２０２が操作を受付けたことを検出手段が検出した場合にはカウンタ２６の計数値をクリアする。ＣＰＵ２１はカウンタ２６の計数値が閾値を超えていると判定すると、予約機能部２０を停止すると共に、給電部１３をオフにする。【選択図】図１
2008103840.tif 000002
【特許請求の範囲】
【請求項１】
給電手段と、計時手段と、前記給電手段のオン／オフ操作及び予約時刻の入力操作を含む複数の操作を受付ける操作受付手段とを備え、前記予約時刻に前記給電手段をオンにし、所定時間経過後にオフにする動作を周期的に行う予約機能を有するテレビジョン受像機において、
前記操作受付手段が操作を受付けたか否かを検出する検出手段と、
前記予約機能が前記給電手段をオンした時点からの経過時間が予め設定された所定時間に達するまでの間に、前記操作受付手段が操作を受付けたことを前記検出手段が検出しなかった場合に加算するカウンタと、
該カウンタの計数値が、閾値を超えているか否かを判定するカウンタ判定手段と、
該カウンタ判定手段が前記閾値を超えていると判定した場合に前記予約機能を停止する予約停止手段と
を備えることを特徴とするテレビジョン受像機。
【請求項２】
前記カウンタは、前記操作受付手段が操作を受付けたことを前記検出手段が検出した場合に計数値をクリアするように構成してあることを特徴とする請求項１に記載のテレビジョン受像機。
【請求項３】
前記予約停止手段は、前記予約機能を停止した場合に前記給電手段をオフにするように構成してあることを特徴とする請求項１又は２に記載のテレビジョン受像機。
【請求項４】
前記操作受付手段は、前記給電手段のオン操作を受付けるように構成されており、
前記カウンタは、前記給電手段がオフの状態で、前記操作受付手段が前記給電手段のオン操作を受付けた場合に計数値をクリアするように構成してあることを特徴とする請求項１及至３のいずれか１つに記載のテレビジョン受像機。
【請求項５】
前記予約停止手段が前記予約機能を停止した状態で、前記操作受付手段が前記給電手段のオン操作を受付けた場合に前記予約機能の停止状態を報知する第１報知手段を備えることを特徴とする請求項１及至４のいずれか１つに記載のテレビジョン受像機。
【請求項６】
前記閾値を前記操作受付手段で受付けた操作により設定する設定手段を備えていることを特徴とする請求項１及至５のいずれか１つに記載のテレビジョン受像機。
【請求項７】
前記予約機能が前記給電手段をオンした時点からの経過時間が予め設定された所定時間に達するまでの間に、前記操作受付手段が操作を受付けたことを前記検出手段が検出しなかった場合に操作を催促する旨を報知する第２報知手段を備えることを特徴とする請求項１及至６のいずれか１つに記載のテレビジョン受像機。
【発明の詳細な説明】
【技術分野】
【０００１】
本発明は、予約機能により電源をオンするテレビジョン受像機に関する。
【背景技術】
【０００２】
テレビジョン受像機に予約機能を設けて、使用者が設定した予約時刻にテレビジョン放送の受像に必要な受像回路へ給電を自動的に開始するものがある。このようなテレビジョン受像機は、受像回路に給電する給電手段及び予約機能に常時給電するバッテリ等を備えている。予約機能は、給電手段のオン／オフ状態を制御することにより受像回路への給電状態を制御する。予約機能は給電手段を自動的にオンした後、所定時間が経過するまでの間に使用者が何らの操作を行わない場合に使用者による電源の消し忘れを防ぐために給電手段を自動的にオフする。以下、予約機能による給電手段の自動的なオン／オフ動作を、それぞれオートオン及びオートオフと記述する。予約時刻に給電手段をオートオンすると共に、所定時間内に使用者からの操作を受付けない場合にオートオフすることを使用者に伝えるべく、その旨表示する。予約機能は、オートオン時からオートオフ時までの間に選局及び音量設定等の操作を受付けた場合にはオートオフ機能を停止すると共に、表示及び確認音により使用者に知らせるように構成されておりオートオフ機能が停止されたことを視覚的又は聴覚的に容易に認知させるテレビジョン受像機が特許文献１に記載されている。
【特許文献１】実開昭６３−３１０２８６号公報
【発明の開示】
【発明が解決しようとする課題】
【０００３】
しかしながら特許文献１に記載されたテレビジョン受像機では、使用者が長期留守状態にある場合でも、予約時刻に給電手段をオートオンし、所定時間が経過するまでの間に操作を受付けたことを検出しなかったことでオートオフするという動作を毎日繰り返すことになる。そのため、使用者がテレビジョン放送を視聴していないにも関わらず、給電手段が毎日オートオンされ、無駄な電力消費が生じる。
【０００４】
本発明は斯かる事情に鑑みてなされたものであり、予約時刻に給電手段をオンにし、オンした時点からの経過時間が予め設定された所定時間に達するまでの間に操作を受付けたことを検出しなかった場合にカウンタを加算し、カウンタの計数値が閾値を超えていると判定した場合に停止される予約機能を備えることにより、使用者が長期留守状態にある場合に予約機能が停止されて消費電力を抑えることが可能なテレビジョン受像機を提供することを目的とする。
【０００５】
本発明の他の目的は、操作を受付けたことを検出手段が検出した場合に計数値をクリアするカウンタを備えることにより、使用者の在宅状態を判定することが可能なテレビジョン受像機を提供することにある。
【０００６】
本発明の他の目的は、予約機能を停止すると共に給電手段をオフにする予約停止手段を備えることにより、使用者の長期留守中に無駄な消費電力が発生することを防ぐことが可能なテレビジョン受像機を提供することにある。
【０００７】
本発明の他の目的は、操作受付手段がオン操作を受付けた場合に計数値をクリアするカウンタを備えることにより、使用者が在宅状態の場合に留守状態にあると予約機能が判定することを防ぐことが可能なテレビジョン受像機を提供することにある。
【０００８】
本発明の他の目的は、予約機能を停止した状態で操作受付手段がオン操作を受付けた場合に予約機能の停止状態を報知する第１報知手段を備えることにより、使用者が長期留守状態後に予約機能が停止していることを知ることが可能となるテレビジョン受像機を提供することにある。
【０００９】
本発明の他の目的は、操作受付手段で受付けた操作により閾値を設定する設定手段を備えることにより、使用者が長期留守状態にあると判定する回数を使用者が判断して入力することが可能なテレビジョン受像機を提供することにある。
【００１０】
本発明の他の目的は、予約機能が給電手段をオンした時点から予め設定された所定時間に達するまでの間に操作を受付けたことを検出しなかった場合に操作を催促する旨を報知する第２報知手段を備えることにより、使用者が在宅状態にあるにも関わらず留守状態にあると予約機能が判定することを防ぐことが可能なテレビジョン受像機を提供することにある。
【課題を解決するための手段】
【００１１】
本発明に係るテレビジョン受像機は、給電手段と、計時手段と、前記給電手段のオン／オフ操作及び予約時刻の入力操作を含む複数の操作を受付ける操作受付手段とを備え、前記予約時刻に前記給電手段をオンにし、所定時間経過後にオフにする動作を周期的に行う予約機能を有するテレビジョン受像機において、前記操作受付手段が操作を受付けたか否かを検出する検出手段と、前記予約機能が前記給電手段をオンした時点からの経過時間が予め設定された所定時間に達するまでの間に、前記操作受付手段が操作を受付けたことを前記検出手段が検出しなかった場合に加算するカウンタと、該カウンタの計数値が、閾値を超えているか否かを判定するカウンタ判定手段と、該カウンタ判定手段が前記閾値を超えていると判定した場合に前記予約機能を停止する予約停止手段とを備えることを特徴とする。
【００１２】
本発明にあっては、予約機能が動作しているテレビジョン受像機は、予約時刻に給電手段をオンにし、オンした時点からの経過時間が予め設定された所定時間に達するまでの間に操作を受付けたことを検出しなかった場合にカウンタを加算する。予約停止手段は、カウンタ判定手段がカウンタの計数値が閾値を超えていると判定した場合に予約機能を停止する。
【００１３】
本発明に係るテレビジョン受像機は、前記カウンタは、前記操作受付手段が操作を受付けたことを前記検出手段が検出した場合に計数値をクリアするように構成してあることを特徴とする。
【００１４】
本発明にあっては、カウンタは、操作受付手段が操作を受付けたことを検出手段が検出した場合に計数値をクリアする。
【００１５】
本発明に係るテレビジョン受像機は、前記予約停止手段は、前記予約機能を停止した場合に前記給電手段をオフにするように構成してあることを特徴とする。
【００１６】
本発明にあっては、予約停止手段は、予約機能を停止した場合に給電手段をオフにする。
【００１７】
本発明に係るテレビジョン受像機は、前記操作受付手段は、前記給電手段のオン操作を受付けるように構成されており、前記カウンタは、前記給電手段がオフの状態で、前記操作受付手段が前記給電手段のオン操作を受付けた場合に計数値をクリアするように構成してあることを特徴とする。
【００１８】
本発明にあっては、カウンタは、給電手段がオフの状態で操作受付手段が給電手段のオン操作を受付けた場合に計数値をクリアする。
【００１９】
本発明に係るテレビジョン受像機は、前記予約停止手段が前記予約機能を停止した状態で、前記操作受付手段が前記給電手段のオン操作を受付けた場合に前記予約機能の停止状態を報知する第１報知手段を備えることを特徴とする。
【００２０】
本発明にあっては、第１報知手段は、予約停止手段が予約機能を停止した状態で操作受付手段がオン操作を受付けた場合に予約機能の停止状態を報知する。
【００２１】
本発明に係るテレビジョン受像機は、前記閾値を前記操作受付手段で受付けた操作により設定する設定手段を備えていることを特徴とする。
【００２２】
本発明にあっては、設定手段は操作受付手段で受付けた操作により閾値を設定する。
【００２３】
本発明に係るテレビジョン受像機は、前記予約機能が前記給電手段をオンした時点からの経過時間が予め設定された所定時間に達するまでの間に、前記操作受付手段が操作を受付けたことを前記検出手段が検出しなかった場合に操作を催促する旨を報知する第２報知手段を備えることを特徴とする。
【００２４】
本発明にあっては、第２報知手段は、予約機能が給電手段をオンした時点から予め設定された所定時間に達するまでの間に操作を受付けたことを検出手段が検出しなかった場合に操作を催促する旨を報知する。
【発明の効果】
【００２５】
本発明にあっては、テレビジョン受像機は、予約時刻に給電手段をオンにし、オンした時点からの経過時間が予め設定された所定時間に達するまでの間に操作を受付けたことを検出しなかった場合に加算されるカウンタと、カウンタの計数値が閾値を超えていると判定した場合に停止する予約機能を備える。これにより、使用者が長期留守状態にある場合にオートオンすることを防ぎ、消費電力を抑えることが可能となる。
【００２６】
本発明にあっては、操作を受付けたことを検出手段が検出した場合に計数値をクリアするカウンタを備えることにより、使用者の在宅状態を判定することが可能となる。
【００２７】
本発明にあっては、テレビジョン受像機は、予約機能を停止すると共に給電手段をオフする予約停止手段を備えることにより、使用者の長期留守中に無駄な電力が消費されることを防ぐことが可能となる。
【００２８】
本発明にあっては、テレビジョン受像機は、操作受付手段がオン操作を受付けた場合に計数値をクリアするカウンタを備えることにより、使用者が在宅状態にある場合に留守状態にあると予約機能が判定することを防ぐことが可能となる。
【００２９】
本発明にあっては、テレビジョン受像機は、予約停止手段が予約機能を停止した状態で、操作受付手段がオン操作を受付けた場合に予約機能の停止状態を報知する第１報知手段を備える。これにより使用者が長期留守状態後に予約機能が停止していることを知ることとなり、予約機能の再設定を使用者が失念することを防ぐことが可能となる。
【００３０】
本発明にあっては、テレビジョン受像機は、操作受付手段で受付けた操作により閾値を設定する設定手段を備えることにより、使用者各自の事情に合わせ使用者が長期留守状態にあると判定する回数を設定することが可能となる。
【００３１】
本発明にあっては、予約機能が給電手段をオンした時点から予め設定された所定時間に達するまでの間に操作の受付を検出しなかった場合に操作を催促する旨を報知する第２報知手段を備える。これにより使用者が在宅状態であるにも関わらず予約機能が留守状態にあると判定することを防ぐことが可能となる等、本発明は優れた効果を奏する。
【発明を実施するための最良の形態】
【００３２】
以下、本発明をその実施の形態を示す図面に基づき具体的に説明する。図１は、本発明に係るテレビジョン受像機の内部構成を示すブロック図である。
【００３３】
図１中の１は、テレビジョン受像機であり、受像を行う受像部１０、及び受像部１０の制御を行う予約機能部２０で構成されており、制御ライン３０を介して接続されている。受像部１０は、ＴＶ回路１１、ＯＳＤ（Ｏｎ  Ｓｃｒｅｅｎ  Ｄｉｓｐｌａｙ）回路１２、給電部１３、音声出力部１４、表示部１５及びアンテナ１６で構成されている。表示部１５は、例えば液晶ディスプレイ又はプラズマディスプレイである。テレビジョン受像機１は、テレビジョン放送をアンテナ１６で受信し、ＴＶ回路１１で検波等の各種信号処理を行い、映像出力信号をＯＳＤ回路１２を介して表示部１５に、音声出力信号を音声出力部１４にそれぞれ出力する。給電部１３に図示しない商用交流電源等が接続されており、商用交流電源等から給電部１３を介して受像部１０に給電される。給電部１３は、商用交流電源の交流電圧を所定の直流電圧に変換する変換回路及び予約機能部２０によりオン／オフ制御されるスイッチング回路を含む。従って、予約機能部２０により商用交流電源等から受像部１０への給電が制御される。また、予約機能部２０は、予約機能部２０に所定の直流電圧を常時給電する図示しないバッテリ等が接続されている。
【００３４】
予約機能部２０は、ＣＬＯＣＫ２２（計時手段）が設けられ、バス２９に時刻を出力する。バス２９には、ＣＰＵ２１、タイマ２３、ＲＯＭ２４、ＲＡＭ２５及びカウンタ２６等が接続されている。タイマ２３は、ＣＰＵ２１によりタイマ値の設定及びタイマ値のカウントダウンの開始が行われ、タイマ値が０になった時点でタイマ信号をバス２９に出力する。タイマ２３は、複数の異なるタイマ値の設定及びそれぞれのタイマ値のカウントダウンが可能となるように構成されておりＣＰＵ２１が、それぞれのタイマ値が０となるカウントダウンの終了を区別して検知可能にすべく異なるタイマ信号をバス２９に出力する。ＲＯＭ２４は、ＣＰＵ２１による制御に必要なプログラム及び種々のデータを記憶するための書き換え不可能な不揮発性のメモリであり、ＲＡＭ２５は後述する予約時刻、オートオフ時間、報知時間、及び長期留守判定回数等の予約機能に必要なデータの一時的な記憶に使用される書き換え可能な揮発性メモリである。カウンタ２６はＣＰＵ２１により制御されており後述する留守回数を計数する。以下、カウンタ２６の計数値を留守回数と記述する。ＯＳＤ回路１２はＴＶ回路１１が出力した映像信号に予約機能部２０が制御ライン３０を介して出力した画像データを重畳して表示部１５に表示する。
【００３５】
テレビジョン受像機１にはまた、遠隔操作装置２が付属している。遠隔操作装置２は、遠隔操作部２０２及び送信部２０１で構成されている。この遠隔操作装置２は、遠隔操作部２０２を操作することによりテレビジョン受像機１のチャネルの切り替え、音量の調節、予約時刻の設定、給電部１３のオン／オフ操作等を送信部２０１から赤外線等を用いた信号を出力することで、遠隔操作することが可能である。なお、参照符号２７は遠隔操作装置２の送信部２０１の信号に対する受信部を示しており、参照符号２８は遠隔操作装置２の代わりに直接操作するために設けられている操作部である。ＣＰＵ２１はテレビジョン受像機１の制御中枢として機能し、受信部２７又は操作部２８からの操作信号をバス２９を介して受け取り、ＴＶ回路１１を制御して表示部１５への画像表示及び音声出力部１４への音声出力を行うと共に、後述するような本発明を特徴付ける予約機能の制御も行なう。
【００３６】
ＣＰＵ２１は、使用者による予約機能に必要な各種設定値の入力を補助するためにＲＯＭ２４から予約時刻、オートオフ時間及び長期留守判定回数の設定、並びに予約機能の動作・停止の選択を行う場合に対応する画面データを読み出してＯＳＤ回路１２に出力し、ＴＶ回路１１から出力されるテレビジョン映像信号と重畳させて表示部１５に表示する。ＣＰＵ２１は、表示した画面に応じた使用者による操作部２８又は遠隔操作装置２の遠隔操作部２０２の操作を受付けることにより、各種設定及び選択を行う。ＣＰＵ２１は、これらのデータをＲＡＭ２５に記憶する。
【００３７】
ＣＰＵ２１は、使用者により予約機能部２０の動作設定がなされた場合に給電部１３のオフ及びカウンタ２６の留守回数のクリアを行う。次にＣＰＵ２１は、使用者による給電部１３のオン操作を操作部２８又は遠隔操作装置２の遠隔操作部２０２が受付けたことを検出した場合に給電部１３をオンにすると共に、ＲＡＭ２５に記憶されているオートオフ時間を読出してタイマ２３にタイマ時間として設定した後、タイマ２３のカウントダウンを開始させる。ＣＰＵ２１は、タイマ２３が出力するオートオフ時間の経過を示すタイマ信号を検出するまで待機する。ＣＰＵ２１は、タイマ信号を検出した場合に給電部１３をオートオフする。次にＣＰＵ２１は、カウンタ２６の留守回数をクリアした後に再びオン操作を受付けたことを検出したか否かの判定を行う。
【００３８】
ＣＰＵ２１は、オン操作を受付けたことを検出しなかった場合にＣＬＯＣＫ２２の出力する時刻がＲＡＭ２５に記憶されている予約時刻と一致するか否かを判定する。ＣＰＵ２１は、時刻が予約時刻と一致していないと判定した場合に再びオン操作を受付けたことを検出したか否かの判定を行う。ＣＰＵ２１は、時刻が予約時刻と一致したと判定した場合に給電部１３をオートオンすると共に、ＲＡＭ２５に記憶されている報知時間及びオートオフ時間をタイマ２３にタイマ時間として設定し、それぞれカウントダウンを開始させる。次にＣＰＵ２１は、使用者による操作を操作部２８又は遠隔操作装置２の遠隔操作部２０２が受付けたことを検出したか否かを判定する。ＣＰＵ２１は、操作を受付けたことを検出しなかった場合にタイマ２３が出力するオートオフ時間の経過を示すタイマ信号の検出の判定を行い、タイマ信号を検出するまで待機する。ＣＰＵ２１は、タイマ信号を検出した場合に給電部１３をオートオフする。次にＣＰＵ２１は、カウンタ２６の留守回数をクリアして再びオン操作を受付けたことを検出したか否かの判定を行う。
【００３９】
ＣＰＵ２１は、操作を受付けたことを検出したか否かの判定において、操作を受付けたことを検出しなかった場合にタイマ２３が出力する報知時間の経過を示すタイマ信号を検出したか否かを判定する。ＣＰＵ２１は、報知時間の経過を示すタイマ信号を検出した場合に使用者に操作を催促するための第２報知画面に対応するデータをＲＯＭ２４から読み出し、受像部１０のＯＳＤ回路１２を介して表示部１５にテレビジョン映像信号と重畳して表示部１５に出力する。図２は、本実施の形態に係る報知画面の例を示すイメージ図である。ここで、タイマ２３のタイマ時間として設定されたオートオフ時間の残り時間をＡ分とする。第２報知画面には、例えば「Ａ分以内に操作をしてください。」と表示すると良い。図２では、タイマ２３のオートオフ時間の残り時間Ａ分は５分であり、「５分以内に操作をしてください。」と表示されている。ＣＰＵ２１は、報知時間の経過を示しておりタイマ２３が出力するタイマ信号を検出したか否かの判定において、タイマ信号を検出しなかった場合には第２報知画面の表示を行わない。次にＣＰＵ２１は、オートオフ時間の経過を示しておりタイマ２３が出力するタイマ信号を検出しなかった場合には、再び操作を受付けたことを検出したか否かの判定を行う。
【００４０】
ＣＰＵ２１は、タイマ信号を検出した場合に給電部１３をオートオフする。次にカウンタ２６の留守回数に１を加算する。ＣＰＵ２１は留守回数が長期留守判定回数を超えていると判定した場合に予約機能部２０の予約機能を停止する。次にＣＰＵ２１は、オン操作を受付けたことを検出するまで待機する。ＣＰＵ２１はオン操作を受付けたことを検出した場合に受像部１０の給電部１３をオンにする。次にＣＰＵ２１は予約機能を停止したことを使用者に報知するための第１報知画面に対応するデータをＲＯＭ２４から読み出し、受像部１０のＯＳＤ回路１２を介して表示部１５にテレビジョン映像信号と重畳して表示部１５に出力する。図３は、本実施の形態に係る報知画面の例を示すイメージ図である。図３では、「長期留守にしていたと判断し、予約機能を停止しました。」と表示されている。
【００４１】
図４及び図５は、本実施の形態に係る予約機能の処理手順を示すフローチャートであり、ＣＰＵ２１により実行される。尚、ここでは遠隔操作部２０２又は操作部２８を介して予約時刻、長期留守判定回数、オートオフ時間及び報知時間の設定がなされてＲＡＭ２５に記憶されており、使用者により予約機能の動作が選択された状態にあるとする。まず、ＣＰＵ２１は給電部１３をオフ（ステップＳ１）及びカウンタ２６の留守回数のクリアを行う（ステップＳ２）。ＣＰＵ２１は、使用者によるオン操作を遠隔操作装置２又は操作部２８が受付けたことを検出したか否かを判定する（ステップＳ３）。ＣＰＵ２１は、使用者によるオン操作を受付けたことを検出した場合に（ステップＳ３でＹＥＳ）給電部１３をオンにする（ステップＳ４）と共に、ＲＡＭ２５に記憶されているオートオフ時間を読出してタイマ２３にタイマ時間として設定した後、タイマ２３のカウントダウンを開始させる。ＣＰＵ２１は、オートオフ時間の経過を示しておりタイマ２３が出力するタイマ信号を検出したか否かを判定する（ステップＳ５）。ＣＰＵ２１は、タイマ信号を検出しなかった場合に（ステップＳ５でＮＯ）タイマ信号を検出するまで待機する。ＣＰＵ２１は、タイマ信号を検出した場合に（ステップＳ５でＹＥＳ）給電部１３をオートオフする（ステップＳ６）。次にＣＰＵ２１は、カウンタ２６の留守回数をクリアする（ステップＳ７）。ＣＰＵ２１は、オン操作を受付けたことを検出したか否かを判定するステップＳ３に処理を戻す。
【００４２】
ＣＰＵ２１は、オン操作を受付けたことを検出したか否かを判定するステップＳ３において、検出しなかった場合に（ステップＳ３でＮＯ）ＣＬＯＣＫ２２の出力する時刻がＲＡＭ２５に記憶されている予約時刻と一致するか否かを判定する（ステップＳ８）。ＣＰＵ２１は、時刻が予約時刻と一致していないと判定した場合に（ステップＳ８でＮＯ）オン操作を受付けたことを検出したか否かを判定するステップＳ３に処理を戻す。ＣＰＵ２１は、時刻が予約時刻と一致したと判定した場合に（ステップＳ８でＹＥＳ）給電部１３をオートオンする（ステップＳ９）と共に、ＲＡＭ２５に記憶されている報知時間及びオートオフ時間をタイマ２３にタイマ時間としてそれぞれ設定し、それぞれカウントダウンを開始させる。ＣＰＵ２１は、遠隔操作装置２又は操作部２８が操作を受付けたことを検出したか否かを判定する（ステップＳ１０）。次にＣＰＵ２１は、操作を受付けたことを検出した場合に（ステップＳ１０でＹＥＳ）オートオフ時間の経過を示しておりタイマ２３が出力するタイマ信号の検出を判定するステップＳ５に処理を移す。ＣＰＵ２１は、タイマ信号を検出しなかった場合に（ステップＳ５でＮＯ）タイマ信号を検出するまで待機する。ＣＰＵ２１は、タイマ信号を検出した場合に（ステップＳ５でＹＥＳ）給電部１３をオートオフする（ステップＳ６）。次にカウンタ２６の留守回数をクリアして（ステップＳ７）オン操作を受付けたことを検出したか否かを判定するステップＳ３に処理を戻す。
【００４３】
ＣＰＵ２１は、操作を受付けたことを検出したか否かを判定するステップＳ１０において、検出しなかった場合に（ステップＳ１０でＮＯ）報知時間の経過を示しておりタイマ２３が出力するタイマ信号を検出したか否かを判定する（ステップＳ１１）。ＣＰＵ２１は、報知時間の経過を示すタイマ信号を検出した場合に（ステップＳ１１でＹＥＳ）使用者に操作を催促する第２報知画面に対応するデータをＲＯＭ２４から読み出し、受像部１０のＯＳＤ回路１２を介して図２のように表示部１５にテレビジョン映像信号と重畳して表示部１５に表示する（ステップＳ１２）。ＣＰＵ２１は、報知時間の経過を示すタイマ信号を検出したか否かを判定するステップＳ１１において、タイマ信号を検出しなかった場合に（ステップＳ１１でＮＯ）第２報知画面の表示を行うステップＳ１２をスキップする。次にＣＰＵ２１は、オートオフ時間の経過を示しておりタイマ２３が出力するタイマ信号を検出したか否かを判定する（ステップＳ１３）。次にＣＰＵ２１は、オートオフ時間の経過を示すタイマ信号を検出しなかった場合に（ステップＳ１３でＮＯ）操作を受付けたことを検出したか否かを判定するステップＳ１０に処理を戻す。
【００４４】
ＣＰＵ２１は、オートオフ時間の経過を示すタイマ信号を検出した場合に（ステップＳ１３でＹＥＳ）給電部１３をオートオフする（ステップＳ１４）。次にＣＰＵ２１は、カウンタ２６の留守回数に１を加算する（ステップＳ１５）。ＣＰＵ２１は、カウンタ２６の留守回数がＲＡＭ２５に記憶されている長期留守判定回数を超えているか否かを判定する（ステップＳ１６）。ＣＰＵ２１は、留守回数が長期留守判定回数を超えていないと判定した場合に（ステップＳ１６でＮＯ）オン操作の受付を検出したか否かを判定するステップＳ３に処理を戻す。ＣＰＵ２１は、留守回数が長期留守判定回数を超えていると判定した場合に（ステップＳ１６でＹＥＳ）予約機能を停止する（ステップＳ１７）。次にＣＰＵ２１は、オン操作を遠隔操作装置２又は操作部２８が受付けたことを検出したか否かを判定する（ステップＳ１８）。ＣＰＵ２１は、オン操作を受付けたことを検出しなかった場合に（ステップＳ１８でＮＯ）オン操作を受付けたことを検出するまで待機する。ＣＰＵ２１はオン操作を受付けたことを検出した場合に（ステップＳ１８でＹＥＳ）受像部１０の給電部１３をオンにする（ステップＳ１９）。次にＣＰＵ２１は予約機能を停止したことを報知する第１報知画面に対応するデータをＲＯＭ２４から読み出し、受像部１０のＯＳＤ回路１２を介して図３のように表示部１５にテレビジョン映像信号と重畳して表示部１５に表示する（ステップＳ２０）。
【００４５】
以上に示したようにカウンタ２６は、ＣＰＵ２１が給電部１３をオートオンした後に使用者による操作を受付けたことを検出することなく所定時間が経過し給電部１３をオートオフする場合に留守回数の加算を行う。次にＣＰＵ２１は、留守回数が長期留守判定回数を超える場合に予約機能を停止する。従って長期留守状態の間の無駄な消費電力を抑えることが可能となる。また、ＣＰＵ２１は、予約機能が動作している状態で使用者によるオン操作を受付けたことを検出した場合に留守回数をクリアすることにより、短期留守状態で予約機能を停止することを防ぎ使用者の利便性を向上させる。さらにＣＰＵ２１は、長期留守判定回数が使用者による操作によって設定されてＲＡＭ２５に記憶されるため、各使用者の生活習慣等に合わせた長期留守状態の判定を行うことが可能となる。また、ＣＰＵ２１は、使用者の在宅状態で給電部１３がオートオンした場合にオートオフ時間を経過するまでの間に視聴中の使用者に操作を催促する第２報知画面を所定時間表示する。これに従い使用者が操作することで、在宅中にも関わらず留守回数が加算されることを防ぐことが可能となる。さらにＣＰＵ２１は、予約機能を停止した後に使用者によるオン操作の受付を検出した場合に予約機能が停止されていることを報知する第１報知画面を表示するため、使用者は長期留守中に予約機能が停止されたことを知ることとなり、予約機能が動作状態であると使用者が誤認識することを防ぐことが可能となる。本実施の形態においては、報知時間が１種類設定される例を示したが、複数種類設定してオートオフするまでの間に第２報知画面の表示を複数回実行するようにしても良い。
【図面の簡単な説明】
【００４６】
【図１】本発明に係るテレビジョン受像機の内部構成を示すブロック図である。
【図２】本実施の形態に係る報知画面の例を示すイメージ図である。
【図３】本実施の形態に係る報知画面の例を示すイメージ図である。
【図４】本実施の形態に係る予約機能の処理手順を示すフローチャートである。
【図５】本実施の形態に係る予約機能の処理手順を示すフローチャートである。
【符号の説明】
【００４７】
１  テレビジョン受像機
２  遠隔操作装置
１０  受像部
１１  ＴＶ回路
１２  ＯＳＤ回路
１３  給電部
１４  音声出力部
１５  表示部
１６  アンテナ
２０  予約機能部
２１  ＣＰＵ
２２  ＣＬＯＣＫ
２３  タイマ
２４  ＲＯＭ
２５  ＲＡＭ
２６  カウンタ
２７  受信部
２８  操作部
２９  バス
３０  制御ライン
２０１  送信部
２０２  遠隔操作部
【図１】
2008103840.tif 000003
【図２】
2008103840.tif 000004
【図３】
2008103840.tif 000005
【図４】
2008103840.tif 000006
【図５】
2008103840.tif 000007